(57)【要約】【課題】この発明は、番組視聴情報を入手できるようになり、ユーザのテレビ番組の視聴履歴情報に基づいてユーザの番組の好みを予測して、ユーザの好みの番組を自動的に録画させる機能を持たせることが可能となる映像記録装置を提供することを目的とする。【解決手段】テレビ用リモコン信号を受信するテレビ用リモコン信号受信手段、テレビ番組情報を取得するためのテレビ番組情報取得手段、ならびにテレビ用リモコン信号受信手段によって受信したテレビ用リモコン信号と、テレビ番組情報取得手段によって取得したテレビ番組情報とに基づいて、ユーザの番組視聴情報を生成して保存する番組視聴情報生成手段を備えている。【選択図】  図２
2004248201.tif 000002
【特許請求の範囲】
【請求項１】
テレビ用リモコン信号を受信するテレビ用リモコン信号受信手段、
テレビ番組情報を取得するためのテレビ番組情報取得手段、ならびに
テレビ用リモコン信号受信手段によって受信したテレビ用リモコン信号と、テレビ番組情報取得手段によって取得したテレビ番組情報とに基づいて、ユーザの番組視聴情報を生成して保存する番組視聴情報生成手段、
を備えていることを特徴とする映像記録装置。
【請求項２】
番組視聴情報生成手段は、
テレビ用リモコン信号受信手段によって受信したテレビ用リモコン信号から、テレビジョン受像機のオンオフの状態ならびに選局されたチャンネル番号およびその日時情報を取得して不揮発性のリモコン情報保存メモリに格納する手段、ならびに
上記リモコン情報保存メモリに格納された情報と、テレビ番組情報取得手段によって取得したテレビ番組情報とを照合して、ユーザの番組視聴情報を生成して保存する手段、
を備えていることを特徴とする請求項１に記載の映像記録装置。
【発明の詳細な説明】
【０００１】
【発明の属する技術分野】
この発明は、ＶＴＲ、ＤＶＤレコーダ、ハードディスクレコーダ等の映像記録装置に関する。
【０００２】
【従来の技術】
テレビ番組をハードディスクに記録するハードディスクレコーダとして、ユーザがキーワードを設定すれば、インターネットを介して取得した電子番組表（ＥＰＧ）からそのキーワードに該当する番組を検索して自動的に録画する機能を備えたものが既に開発されている。
【０００３】
また、ユーザの番組の好みを予測するためには、ユーザのテレビ番組の視聴履歴情報（どの番組を何時間視聴したかの情報、視聴した番組の内容、ジャンル、出演者等の情報等）が有効であることが、論文「利用者の視聴履歴に基づくＴＶ番組推薦システムの検討」（第５４回情報処理学会全国大会ＶＯＬ．４ｐｐ．２４５−２４６）などで報告されている。
【０００４】
映像記録装置に、ユーザのテレビ番組の視聴履歴情報に基づいてユーザの番組の好みを予測して、ユーザの好みの番組を自動的に録画させる機能を持たせようとする場合、ユーザのテレビ番組の視聴履歴情報が必要となる。しかしながら、ＶＴＲ、ＤＶＤレコーダ、ハードディスクレコーダ等の映像記録装置は、通常はテレビジョン受像機とは別筐体であるため、テレビジョン受像機から番組視聴情報を直接入手することができない。
【０００５】
【特許文献１】特開平８−２８００７５号公報
【特許文献２】特開平１１−６６０９７号公報
【特許文献３】特開２０００−１３８８８６号公報
【特許文献４】特開平４−７０１９０号公報
【非特許文献】「利用者の視聴履歴に基づくＴＶ番組推薦システムの検討」
第５４回情報処理学会全国大会ＶＯＬ．  ４ｐｐ．  ２４５−２４６
【０００６】
【発明が解決しようとする課題】
この発明は、番組視聴情報を入手できるようになり、ユーザのテレビ番組の視聴履歴情報に基づいてユーザの番組の好みを予測して、ユーザの好みの番組を自動的に録画させる機能を持たせることが可能となる映像記録装置を提供することを目的とする。
【０００７】
【課題を解決するための手段】
請求項１に記載の発明は、テレビ用リモコン信号を受信するテレビ用リモコン信号受信手段、テレビ番組情報を取得するためのテレビ番組情報取得手段、ならびにテレビ用リモコン信号受信手段によって受信したテレビ用リモコン信号と、テレビ番組情報取得手段によって取得したテレビ番組情報とに基づいて、ユーザの番組視聴情報を生成して保存する番組視聴情報生成手段を備えていることを特徴とする。
【０００８】
請求項２に記載の発明は、請求項１に記載の映像記録装置において、番組視聴情報生成手段は、テレビ用リモコン信号受信手段によって受信したテレビ用リモコン信号から、テレビジョン受像機のオンオフの状態ならびに選局されたチャンネル番号およびその日時情報を取得して不揮発性のリモコン情報保存メモリに格納する手段、ならびに上記リモコン情報保存メモリに格納された情報と、テレビ番組情報取得手段によって取得したテレビ番組情報とを照合して、ユーザの番組視聴情報を生成して保存する手段を備えていることを特徴とする。
【０００９】
【発明の実施の形態】
以下、図面を参照して、  この発明の実施の形態について説明する。
【００１０】
図１は、映像記録装置の設置例を示している。
【００１１】
映像記録装置１は、テレビジョン受像機２のリモートコントローラ（以下、テレビ用リモコンという）３からのテレビ用リモコン信号が受信できる位置に配置されている。映像記録装置１は、テレビ番組視聴履歴情報生成機能を備えている。
【００１２】
図２は、映像記録装置１に設けられた、テレビ番組視聴履歴情報生成機能を実現するための構成を示している。
【００１３】
テレビ用リモコン信号受信ブロック１１は、テレビ用リモコン３からのテレビ用リモコン信号を受信する。テレビ用リモコン信号受信ブロック１１で受信されたテレビ用リモコン信号は、ＣＰＵ１２に送られる。ＣＰＵ１２は、テレビ用リモコン信号受信ブロック１１から送られてくるテレビ用リモコン信号と、タイマ１３からの時刻情報とに基づいて、次のようなテレビ用リモコン信号受信情報を生成して、不揮発性のリモコン情報保存メモリ１４に保存する。
【００１４】
（ａ）テレビジョン受像機２のＯＮ／ＯＦＦ状態：具体的には、ＯＮボタンが押し下げられたときの日時情報およびＯＦＦボタンが押し下げられたときの日時情報
（ｂ）チャンネル選局情報：具体的には、選局されたチャンネル番号およびそのチャンネルが選局されたときの日時情報
【００１５】
ところで、テレビ用リモコン３からのテレビ用リモコン信号は、メーカ毎にその仕様が決められている。そこで、各種メーカのテレビ用リモコン３からのテレビ用リモコン信号を受信できるように、テレビメーカ設定スイッチ１５によって、テレビ用リモコン信号受信ブロック１１の設定を変えられるようにしている。このような機能は、例えば、テレビ（他メーカの機種を含む）が操作できるビデオテープレコーダのリモコンなどに搭載されており、汎用的な技術であるため、その詳細について省略する。
【００１６】
ＣＰＵ１２は、図示しないテレビ番組情報取得手段を介して取得されたテレビ番組情報を、不揮発性のテレビ番組情報保存メモリ１６に保存する。テレビ番組情報取得手段は、インターネットやデータ放送を介してテレビ番組情報を定期的に取得する。テレビ番組情報には、テレビ番組のタイムスケジュール、番組のジャンル、内容、出演者の情報等が含まれている。
【００１７】
ＣＰＵ１２は、図３に示すように、リモコン情報保存メモリ１４に保存したテレビ用リモコン信号受信情報を、テレビ番組情報保存メモリ１６に保存したテレビ番組情報と照合し、ユーザが視聴した番組を特定するとともに、その番組のジャンル、番組内容、出演者の情報を取得する。このようにして取得した情報を整理することによって番組視聴情報を生成し、生成した番組視聴情報を、番組視聴情報データベース１７に格納する。
【００１８】
この例では、番組視聴情報は、図３に示すように、番組毎の視聴率、番組毎の視聴時間累計、ジャンル毎の視聴時間累計および出演者毎の視聴時間累計の４種類から構成されている。どのような情報を番組視聴情報とするかは、任意に定めることができる。
【００１９】
番組の視聴率は、ユーザが視聴可能であった番組の番組放送時間帯において、実際にその番組を視聴（選局）していた時間の割合（％）をいう。例えば、ユーザがＰＭ７：００〜ＰＭ８：００の１時間の時間帯においてテレビを視聴していた場合を考える。この時間帯に、番組Ａ、番組Ｂ、番組Ｃ、番組Ｄ（いずれも１時間番組とする）が放送されていたとする。各番組Ａ〜Ｄに対するユーザの視聴時間Ａｔ〜Ｄｔが、Ａｔ＝１０分  、Ｂｔ＝０  分、Ｃｔ＝５  分、Ｄｔ＝４５分であるとすると、各番組の視聴率Ａｓ〜Ｄｓは、Ａｓ＝（１０／６０）  ×１００  ＝１６．７％、Ｂｓ＝０  ％、Ｃｓ＝（５／６０）×１００  ＝８．３  ％、Ｄｓ＝（４５／６０）  ×１００  ＝７５％となる。
【００２０】
このような番組視聴情報に基づいて、ユーザの好みの番組を予測することが可能となるとともに、予測されたユーザの好みの番組を自動的に録画することも可能となる。
【００２１】
上記のような番組視聴情報に基づいて、ユーザの好みの番組を予測するには、例えば、番組視聴率の高いものをユーザの好みの番組として予測することが考えられる。ただし、これは、一例であり、上記のような番組視聴情報に基づいて、他の方法でユーザの好みの番組を予測してもよいことは勿論である。
【００２２】
【発明の効果】
この発明によれば、番組視聴情報を入手できるようになり、ユーザのテレビ番組の視聴履歴情報に基づいてユーザの番組の好みを予測して、ユーザの好みの番組を自動的に録画させる機能を持たせることが可能となる映像記録装置が得られる。
【図面の簡単な説明】
【図１】映像記録装置の設置例を示すブロック図である。
【図２】映像記録装置１に設けられた、テレビ番組視聴履歴情報生成機能を実現するための構成を示すブロック図である。
【図３】テレビ用リモコン信号受信情報、テレビ番組情報および番組視聴情報の例を示す模式図である。
【符号の説明】
１  映像記録装置
２  テレビジョン受像機
３  テレビ用リモコン
１１  テレビ用リモコン信号受信ブロック
１２  ＣＰＵ
１３  タイマ
１４  リモコン情報保存メモリ
１５  テレビメーカ設定スイッチ
１６  テレビ番組情報保存メモリ
１７  番組視聴情報データベース
【図１】
2004248201.tif 000003
【図２】
2004248201.tif 000004
【図３】
2004248201.tif 000005